(57)【要約】【課題】製品等を想定した対象物に適した触感を評価するために使用される触感見本システム及び触感評価方法を提供することを目的とする。【解決手段】異なる触感の複数の触感見本シート３Ａを備えた触感見本システム１Ａであり、触感見本シートは光透過性を有する。触感見本システム１Ａでは、複数の触感見本シート３Ａのそれぞれを、製品等を想定した対象物に重ね、触感見本シート３Ａから透けて見える対象物の色味を確認しながら色味と触感とを複合的に評価することができる。【選択図】図１
2020056878.tif 000002
【特許請求の範囲】
【請求項１】
異なる触感の複数の触感見本シートを備えた触感見本システム。
【請求項２】
前記触感見本シートは光透過性を有する請求項１記載の触感見本システム。
【請求項３】
テクスチャ見本を更に備える、請求項２記載の触感見本システム。
【請求項４】
複数の前記テクスチャ見本を備え、
前記複数のテクスチャ見本は、それぞれ色、模様及び質感の少なくとも一が異なる、請求項３記載の触感見本システム。
【請求項５】
前記触感見本シートは、シート状の基材と基材上に印刷された印刷部とを備え、前記触感は前記印刷部に塗布されたインクによって調整されている、請求項１〜４のいずれか一項記載の触感見本システム。
【請求項６】
重なり合う前記複数の触感見本シートを支持する連結部を更に備える請求項１〜５のいずれか一項記載の触感見本システム。
【請求項７】
前記触感見本シートは、複数の見本片に分割される破断を誘導する破断誘導構造を備えている請求項１〜６のいずれか一項記載の触感見本システム。
【請求項８】
異なる触感の複数の触感見本シートのそれぞれを、対象物に重ね、前記対象物に重ねた状態での前記触感見本シートの触感を確認する、触感評価方法。
【請求項９】
異なる触感の複数の触感見本シートと、テクスチャ見本とを備えた触感見本システムを使用して、触感見本シートの触感を評価する触感評価方法であって、
前記複数の触感見本シートのそれぞれを、前記テクスチャ見本に重ね、前記テクスチャ見本に重ねた状態での前記触感見本シートの触感を確認する、触感評価方法。
【発明の詳細な説明】
【技術分野】
【０００１】
本発明は、対象物に応じた触感を評価するために使用される触感見本システム及び触感評価方法に関する。
【背景技術】
【０００２】
デザイン作業や印刷物の発注等の際に使用する色見本が知られている。例えば、特許文献１には、透明または半透明のシートに印刷された色見本を透明又は半透明の成型対象物等に重ね合わせ、その時の色味を基に成型後の製品の色味をつかむことができる技術が開示されている。その他、色見本について開示する種々の文献が存在する。
【先行技術文献】
【特許文献】
【０００３】
【特許文献１】特開２００１−２７２２７６号
【特許文献２】特開２０１７−０５８５２１号
【特許文献３】特開２００４−０８５９６８号
【発明の概要】
【発明が解決しようとする課題】
【０００４】
しかしながら、製品のイメージをつかむためには色味だけでは不十分であり、触感も製品イメージに影響を及ぼす。ここにおいて、従来は触感を評価し、製品イメージを確認することができる見本や評価方法は存在しなかった。
【０００５】
本発明は、以上の課題を解決することを目的としており、製品等を想定した対象物に適した触感を評価するために使用される触感見本システム及び触感評価方法を提供することを目的とする。
【課題を解決するための手段】
【０００６】
本発明は、異なる触感の複数の触感見本シートを備えた触感見本システムである。
【０００７】
本発明では、複数の触感見本シートのそれぞれを、製品等を想定した対象物に重ねながら、触感見本シートの触感を確認することができる。その結果、対象物に適した触感を評価することができる。
【０００８】
また、触感見本シートは光透過性を有することができる。触感見本シートは光透過性を有するので、対象物に重ねた状態で、対象物の色味を確認しながら触感の確認を行うことができる。その結果、触感見本シートを使用した簡便な方法で、色味と触感とを複合的に評価することができる。
【０００９】
また、テクスチャ見本を更に備えることができる。製品等を想定した対象物としてテクスチャ見本を利用でき、製品等に適した触感を評価し易くなる。
【００１０】
また、複数のテクスチャ見本を備え、複数のテクスチャ見本は、それぞれ色、模様及び質感の少なくとも一が異なることができる。複数のテクスチャ見本の中から、製品等を想定した好適なテクスチャ見本を選択し易くなる。
【００１１】
また、触感見本シートは、シート状の基材と基材上に印刷された印刷部とを備え、触感は印刷部に塗布されたインクによって調整されていてもよい。インクの塗布によって様々な触感を有する触感見本シートを容易に実現できる。
【００１２】
また、重なり合う複数の触感見本シートを支持する連結部を更に備えることができる。連結部によって複数の触感見本シートを纏めることができ、扱い易くなる。
【００１３】
また、触感見本シートは、複数の見本片に分割される破断を誘導する破断誘導構造を備えていると好適である。破断誘導構造に沿って触感見本シートを分割することにより、一又は複数の見本片を切り離すことができ、この見本片を対象物に重ねながら触感を確認することができる。
【００１４】
本発明は、異なる触感の複数の触感見本シートのそれぞれを、対象物に重ね、対象物に重ねた状態での触感見本シートの触感を確認する、触感評価方法である。
【００１５】
本発明によれば、対象物に応じた触感見本シートの触感を確認することができる。その結果、対象物に適した触感を評価できる。ここで、「対象物に適した触感を評価する」とは、例えば、触感見本シートを対象物に重ねた状態で感性評価を行って複数の触感見本シートの中から好適な触感見本シートを選択する場合や、複数の触感見本シートを用いながら、対象物に対して相性の良い触感の傾向を特定する場合等を広く含む。
【００１６】
本発明は、異なる触感の複数の触感見本シートと、テクスチャ見本とを備えた触感見本システムを使用して、触感見本シートの触感を評価する、触感評価方法であって、複数の触感見本シートのそれぞれを、テクスチャ見本に重ね、テクスチャ見本に重ねた状態での触感見本シートの触感を確認する、触感評価方法である。
【００１７】
本発明によれば、対象物としてテクスチャ見本を用い、テクスチャ見本に応じた触感見本シートの触感を確認することができる。その結果、テクスチャ見本に適した触感を評価できる。ここで、「テクスチャ見本に適した触感を評価する」とは、例えば、触感見本シートをテクスチャ見本に重ねた状態で感性評価を行って複数の触感見本シートの中から好適な触感見本シートを選択する場合や、複数の触感見本シートを用いながら、テクスチャ見本に対して相性の良い触感の傾向を特定する場合等を広く含む。
【発明の効果】
【００１８】
本発明によれば、対象物に適した触感を評価することができる。
【図面の簡単な説明】
【００１９】
【図１】一実施形態に係る触感見本シートシステムにおける触感見本帳の一例を示し、（ａ）図は触感見本帳を閉じた状態の斜視図であり、（ｂ）図は触感見本帳を開いた状態の平面図である。
【図２】触感見本シートの断面図であり、（ａ）図は図１のＩＩａ−ＩＩａ線に沿った断面図であり、（ｂ）図は図１のＩＩｂ−ＩＩｂ線に沿った断面図である。
【図３】異なる方法で製造された触感見本シートの断面図であり、（ａ）図は、印刷部を備えた触感見本シートの断面図である。（ｂ）図、及び（ｃ）図は、印刷部を備えていない触感見本シートの断面図である。
【図４】一実施形態に係る触感見本シートシステムにおけるテクスチャ見本帳の一例を示し、（ａ）図はテクスチャ見本帳を閉じた状態の斜視図であり、（ｂ）図はテクスチャ見本帳を開いた状態の平面図である。
【図５】テクスチャ見本シートの見本片の一部分に触感見本シートの見本片を重ねている状態を示す平面図である。
【図６】一実施形態に係る触感見本シートシステムにおける触感見本シートを示し、（ａ）図は触感見本シートの平面図であり、（ｂ）図は（ａ）図のｂ−ｂ線に沿った断面図である。
【図７】触感見本シートの見本片を対象物に貼付した状態を示す斜視図である。
【図８】一実施形態に係る触感見本シートシステムの平面図である。
【図９】一実施形態に係る触感見本シートシステムであり、（ａ）図は一例に係る触感見本シートシステムの斜視図であり、（ｂ）図は一例に係る触感見本シートシステムの斜視図である。
【図１０】一実施形態に係る触感見本シートシステムであり、（ａ）図は、単体の触感見本帳の例であり、（ｂ）図は、複数の触感見本帳を３次元的に配置した例である。
【図１１】一実施形態に係る触感見本シートシステムであり、（ａ）図は、単体の触感見本帳の例であり、（ｂ）図は、複数の触感見本帳を３次元的に配置した例である。
【発明を実施するための形態】
【００２０】
まず、「触感見本システム」について定義する。触感見本システムのカテゴリーは、「物の発明」である。触感見本システムは、少なくとも、触感の異なる複数の触感見本シートを備えていれば足り、更に、他の付帯的な要素を備えていても良い。また、触感見本システムにおける複数の触感見本シートは、一定のまとまりをもって把握できればよい。従って、例えば、複数の触感見本シートが連結等されて一体化されている態様に限定されず、複数の触感見本シートが、それぞれ独立していたとしても、袋や箱などの容器に収められていたり、紐、ゴムなどの結束部材によって分離独立可能に結合されていたりする態様であってもよい。この場合、容器や結束部材なども触感見本システムの構成要素になり得る。
【００２１】
次に、図面を参照しつつ本発明に係る触感見本システムの各実施形態について具体的に説明する。図１に示されるように、一実施形態に係る触感見本システム１Ａは、触感見本帳２Ａを備えている。触感見本帳２Ａは、触感の異なる複数の触感見本シート３Ａを備えている。触感見本帳２Ａは、重なり合う複数の触感見本シート３Ａを支持する連結部２１を備えている。連結部２１は、例えば、複数の触感見本シート３Ａを貫通する軸部であり、抜け止めのための処理が施されている。複数の触感見本シート３Ａは、連結部２１を中心にしてそれぞれ回転可能である。連結部２１により、重なり合う複数の触感見本シート３Ａを一体に纏めることができ、扱い易くなる。
【００２２】
本実施形態に係る触感見本シート３Ａは、矩形状であるが、触感見本シート３Ａの形状は矩形状に限定されず、その他の多角形状、または円形や楕円形等であっても良く、更に、不規則な形状であってもよい。また、触感見本シート３Ａは無色であっても、有色であってもよく、また、模様を有していても良い。
【００２３】
触感見本シート３Ａは、一例として基材３２及び基材３２上に印刷された印刷部３３を備えている。触感見本シート３Ａの触感は印刷部３３に塗布されたインクによって調整されている。例えば、図２の（ａ）図は、複数の触感見本シート３Ａのうちの一の触感見本シート３Ａの一例を示す断面図であり、図２の（ｂ）図は、複数の触感見本シート３Ａのうちの他の触感見本シート３Ａの一例を示す断面図である。なお、本実施形態は、触感を付与し、調整する態様の一例であり、本実施形態の如く、印刷やコーティングによって印刷部３３が形成された形態の他、後述の通り、物理的な加工によって調整された形態や、複数のポリマをブレンドすることによって調整された形態等であっても良い。
【００２４】
図２の（ａ）図及び（ｂ）図に示されるように、印刷部３３に形成される凹凸形状の違い、サイズの違い、凸部の密度の違いなど、外形形状の差（外形差）によって触感の違いを実現することができる。また、触感の違いは、外形差に限定されず、材質の違いなどに起因して生じる熱伝導の差（熱物性の差）によって実現することも可能である。以下、触感見本シート３Ａの触感について更に詳しく説明する。
【００２５】
「触感」とは、ヒトが物に触れた際に手や肌等で受ける知覚（感じ）である。また、「触感が異なる」とは、一般的には、ヒトが知覚として区別できる程度の相違を有する態様を意味し、ヒトの感性評価（官能検査）によって評価することができる。
【００２６】
例えば、感性評価のパラメータの取得方法として、通常の感性評価の手法を用いることができる。また、主観評価としては、刺激量と感覚量を数量的に対応付ける精神物理学的測定法や、主観的な印象を測る基準（物差し）を作る方法としての尺度構成法が知られており、これらの手法を用いて触感の違いを評価することができる。
【００２７】
また、複数の触感見本シート３Ａの触感を、再現可能となるように数値化して定義することも可能である。例えば、精神物理学測定法や尺度構成法のうち、比例尺度、感覚尺度、順位尺度が数値として扱えることができる。なお、直接的な触感として数値化できない場合であっても、間接的な触感として、名義尺度（たとえば、男女、住居地域）などで定義することもできる。具体的には、男性が好んだ触感、女性が好んだ触感、あるいは住居地域それぞれで好まれた触感として区別し、定義することも可能である。
【００２８】
なお、尺度構成法に用いられる心理尺度については様々な提案がなされている。例えば、堀  洋道（筑波大学・大妻女子大学名誉教授）監修、山本眞理子（元筑波大学教授）編、「心理測定尺度集Ｉ〜ＶＩ」、サイエンス社発行等に多数の記載があり、これら及び独自に設定した尺度の中から適切なものを参酌することができる。
【００２９】
また、複数の触感見本シート３Ａと、数値化された触感とを対応付けて管理する必要がある場合において、数値化して値をグラフ化し、その大小関係を例えば、縦軸で表し、更に、その縦軸に多数の形容詞を記載して触感の程度を区別すると、管理上も煩雑になる。また、触感見本シート３Ａに対応付けて触感の程度を形容詞によって表示する場合には、表示上、読み難くなってしまう。そこで、心理統計法、例えばセマンティック・ディファレンシャル法（SD法）などで、形容詞やオノマトペ相互間の関連を探り、相関の多いものをまとめて分かりやすく区分し、必要に応じて表示する事が望ましい。
【００３０】
また、触感見本シート３Ａの触感については、感性評価を行うことなく、例えば、剛性、摩擦係数、ミクロ的な表面粗さ、マクロ的な表面粗さ、温冷感等の各パラメータを測定することにより、異なる触感の有無を定量的に評価することができる。以下、具体的に説明する。
【００３１】
［剛性について］
剛性は、JIS K7127に基づいて評価することができ、剛性が異なる場合に触感が異なるとして評価することができる。例えば、プラスチックフィルム製の触感見本シート３Ａにおいて、剛性が４００ＭＰａ程度の触感見本シート（LLDPE）に対し、剛性が２０００ＭＰａ程度の触感見本シート（ラミネート品）は、触感が異なる。
【００３２】
［摩擦係数について］
摩擦係数は、JISの動摩擦係数に基づいて評価することができる。また、触感見本シート３Ａの触感を評価するため、好ましくはヒトの触感と一致する動摩擦係数の上昇率という観点で評価することができる。具体的には、動摩擦係数が０．１〜０．７、測定速度を２ｍｍ／ｓから２０ｍｍ／ｓに増加させた場合の動摩擦係数の上昇率という観点で評価でき、例えば、１０％以上であると好ましいと評価することができる。なお、繊維業界で用いられているKES（Ｋａｗａｂａｔａ  Ｅｖａｌｕａｔｉｏｎ  Ｓｙｓｔｅｍ）の表面特性値、MIUの平均摩擦係数、MMDの平均摩擦係数の変、SMDの表面粗さの平均偏差なども利用できる。
【００３３】
［ミクロな表面粗さ］
ミクロな表面粗さは、ISO25178表面性状パラメータを利用して評価することができるが、感性評価と連動した指標を選ぶのが望ましい。例として、KEYENCE社のホームページ（「粗さ」入門.com）、［２０１８年９月１８日検索］、＜https://www.keyence.co.jp/ss/3dprofiler/arasa/surface/parameters.jsp＞を参照することができる。
【００３４】
上記のホームページにも記載の通り、ミクロな表面粗さとしては、「高さ」の基づき、Sa：算術平均高さ、Sz：最大高さ、Sq：二乗平均平方根高さ、Ssk：スキューネス(偏り度)、Sku：クルトシス(尖り度)、Sp：最大山高さ、Sv：最大谷深さの各パラメータを使用して評価することができる。また、「空間」に基づき、Sal：最小自己相関長さ、Str：表面性状のアスペクト比の各パラメータを使用して評価することができる。また、「複合」的な評価に基づき、Sdq：二乗平均平方根傾斜、Sdr：界面の展開面積比の各パラメータを使用して評価することができる。また、「機能」に基づき、Smr(c)：負荷面積率、Smc(mr)：逆負荷面積率、Sk：コア部のレベル差、Spk：突出山部高さ、Svk：突出谷部高さ、Smr1：突出山部とコア部を分離する負荷面積率、Smr2：突出谷部とコア部を分離する負荷面積率、Sxp：極点高さの各パラメータを使用して評価することができる。また、「機能(体積)」に基づき、Vvv：谷部の空隙容積、Vvc：コア部の空隙容積、Vmp：山部の実体体積、Vmc：コア部の実体体積の各パラメータを使用して評価することができる。また、「形態」に基づき、Spd：山の頂点密度、Spc：山頂点の算術平均曲、S10z：10点領域高さ、S5p：5点山領域高さ、S5v：5点谷領域深さ、Sda(c)：平均谷領域面積、Sha(c)：平均山領域面積、Sdv(c)：平均谷領域容積、Shv(c)：平均山領域体積の各パラメータを使用して評価することができる。
【００３５】
［マクロな表面粗さ］
マクロな表面粗さは、例えば、針式の表面粗さ計で測定した結果を用いて評価することができる。また、３次元測定器を用いて場所をずらしながら変位を測定し、その測定結果を用いて評価することができる。
【００３６】
［温冷感］
温冷感は、繊維業界で用いられているKESの熱物性を用いて評価することができる。例えば、触感見本シート３Ａを触った瞬間の温冷感である熱流量ピーク値（Q max）を触感として評価することができる。また、触感見本シート３Ａに継続的に触れている状態での温冷感である熱伝導率（K）を触感として評価することができる。
【００３７】
なお、KESは、カトーテック株式会社のホームページ、［２０１８年９月１８日検索］、＜http://www.keskato.co.jp/products/#panel07＞に記載の「KES-F7 サーモラボ」、「FR07 サーモラボ」等の装置を使用して測定できる。
【００３８】
また、触感見本シート３Ａは、製造方法によって異なる触感に調整することもできる。この場合、上記のパラメータやヒトの感性評価を行うことなく、製造方法や製造条件を特定することによって、間接的に異なる触感が実現されていることを特定することができる。以下、所望の触感に調整された触感見本シート３Ａの製造方法、及び触感見本シート３Ａについて説明する。
【００３９】
最初に、印刷部３３に塗布されたインクによって所望の触感に調整された触感見本シート３Ａについて説明する。触感見本シート３Ａは、シート状の基材３２と基材３２上に印刷された印刷部３３とを備えている。印刷部３３に塗布されたインクによって触感を調整することにより、様々な触感を有する触感見本シート３Ａを容易に実現できる。なお、インクには、色素等を含む一般的なインクの他、コーティング剤も含まれる。
【００４０】
基材３２としては、例えば、樹脂フィルムを使用することができる。この樹脂フィルムとしては、各種の合成樹脂シート、例えば、ポリエチレン、ポリプロピレン、エチレン・プロピレン共重合体、ポリエステル、ポリアクリル、ポリアミド、ポリウレタン、ポリスチレン等を使用することができる。
【００４１】
印刷部３３は、基材３２の表面にインクを塗布することによって形成される。インクを塗布する方法（塗工方式）は、例えば、特許第４４８２８０３号に記載の方法を使用することができる。また、インクの塗布方法としては、印刷、フレキソ印刷、スクリーン印刷等の印刷方式、グラビアコーター、グラビアリバースコーター、フレキソコーター、ブランケットコーター、ロールコーター、ナイフコーター、エアナイフコーター、キスタッチコーター、キスタッチリバースコーター及びコンマコーター、コンマリバースコーター、マイクログラビアコーター等の塗工方式を使用することができる。
【００４２】
また、触感を調整するための塗工方式（印刷部３３を形成する方法）として、特開２０１５−１８０７１１号公報に記載の方法を使用することができる。図３の（ａ）図は、この方法によって印刷部３３を形成した態様を示す断面図である。この方法では、基材３２の下塗り層上面にポリシロキサンを含むテクスチャーインキからなる中間層を形成した後、上塗り塗料を形成することで、中塗り塗膜３３ａと上塗り塗膜３３ｂが一体化して意匠性よく凹凸形状を形成することができる。この方法によれば、所望の適切な触感となるように調整し易くなる。
【００４３】
また、基材３２の表面にコーティング処理を施すことで触感の調整を行うこともできる。このコーティング法として、例えば、ロールコート法、ダイコート法、スピンコート法、リップコート法、コンマコート法、バーコート法、ディップコート法、流延成膜法、グラビアコート法等の方法等を用いることができる。これらの方法で、基材３２上にインクを塗布し、このインクを乾燥または硬化させることで所望の触感に調整することもできる。
【００４４】
上記のインクとしては、熱硬化型インク、溶剤型（トルエン）インク、溶剤型（ノントルエン）インク、水溶性インク等を使用することができ、更に。UV型（紫外線硬化型）のコーティングニスをインクとして使用しても良い。
【００４５】
また、充填物を含んだインクの塗布によって触感を調整することもできる。この場合、充填物として、無機フィラー、無機ビーズ、ポリマーフィラー、ポリマービーズ等を使用することができる。
【００４６】
次に、印刷部３３を設けることなく触感を調整された触感見本シートについて説明する。例えば、図３の（ｂ）図に示されるように、第１の変形例に係る触感見本シート３Ａでは、基材３２上に接着剤を塗布して接着層３４を形成し、接着層３４の上に、粒体物３５を塗布された触感見本シート３Ａであり、粒体物３５の塗布によって所望の触感に調整されている。また、例えば、図３の（ｃ）図に示されるように、第２の変形例に係る触感見本シート３Ａでは、基材３２上に両面テープ３６が添付され、基材３２とは反対側となる面に粒体物３５が塗布された触感見本シート３Ａであり、粒体物３５の塗布によって所望の触感に調整されている。粒体物としては、微細粉末も含まれ、無機フィラー、無機ビーズ、ポリマーフィラー、ポリマービーズ等を使用することができる。
【００４７】
また、印刷部３３を設けない他の形態として、例えば、物理的な加工によって触感が調整された触感見本シートにすることもできる。物理的な加工として、例えば、プレス等で基材に圧力をかけて変形させることによって触感を調製したり、紙やすり等で基材の表面を荒らすことによって触感を調整したり、基材を過熱して可塑化させ、その状態で型などを用いて基材を変形させることによって触感を調製したりすることができる。また、物理的な加工として、例えば、レーザー版や彫刻版を用いることができる。また、物理的な加工として、基材の表面処理を行うこともできる。例えば、コロナ放電、フレーム法（火炎で表面を荒らす）、レーザー法等を使用した表面処理方法によって触感を調整することも可能である。
【００４８】
また、物理的な加工によって触感が調整された触感見本シートとして、例えば、基材の製造時に、エンボスロール等で表面に凹凸模様を付与された触感見本シートにすることもできる。また、凹凸模様を付与した化粧シートを基材上に添付する形成方法（特開２００２−１４４４８５参照）などを利用し、微細な凹凸を有する化粧シートが基材上に添付された触感見本シートにすることもできる。
【００４９】
また、印刷部３３を設けない他の形態として、例えば、基材の製造時に、２種類以上のポリマのブレンド（ポリマブレンド）により触感を調整された触感見本シートにすることもできる。また、印刷部３３の代わりに、触感が調製されたフィルムを基材に貼り合わせることによって触感を調製された触感見本シートにすることもできる。
【００５０】
次に、触感見本シート３Ａの光透過性について説明する。光透過性とは、透明または半透明であることを意図している。より具体的には、光透過性の有無を「曇り度（ヘーズ）」によって定量的に評価することができる。例えば、「プラスチック−透明材料のヘーズの求め方（JIS K 7136）」に基づき、「曇り度（ヘーズ）」が８５％以下の触感見本シート３Ａによれば、製品等を想定した対象物に重ね合わせた際に、対象物の印刷物等の模様等を確認することができる。つまり、本実施形態において、光透過性を有するとは、「曇り度（ヘーズ）」が８５％以下であることを意味する。また、「曇り度（ヘーズ）」が１０％以下であれば、一般的な透明フィルムと同程度のヘーズとなり、模様等を明確に把握できるようになって望ましい。また、触感見本シート３Ａは、色付きであっても良いが、無色であれば、対象物の模様のみならず、色や質感も把握できるようになって望ましい。
【００５１】
なお、本実施形態に係る触感見本シート３Ａは、光透過性を有しているが、透光性を有しておらず、「曇り度（ヘーズ）」が８５％よりも大きく、例えば、遮光性を有する形態にすることもできる。
【００５２】
次に、触感見本シート３Ａに設けられた破断誘導構造３７（図１参照）について説明する。触感見本シート３Ａは、複数の見本片３１Ａに分割される破断を誘導する破断誘導構造３７を備えている。破断誘導構造３７とは、せん断力を受けた際に、一定方向（切断予定線）に沿った切断を契機するように意図的に形成された構造である。破断誘導構造３７は、例えば、切断予定線に沿ったミシン目であったり、切断予定線に沿った直線部分の厚みが他の部分より薄く形成されたりした構造であってもよい。
【００５３】
本実施形態に係る触感見本システム１Ａは、触感見本帳２Ａに加え、更にテクスチャ見本帳４Ａ（図４参照）を備えていてもよい。テクスチャ見本帳４Ａは、例えば、搬送時や保管時などにおいて、触感見本帳２Ａとセットになった状態で収納されている。テクスチャ見本帳４Ａは、複数のテクスチャ見本シート５Ａを備えている。テクスチャ見本シート５Ａは、製品等を想定した対象物の実際の印刷物等を模した見本である。テクスチャ見本シート５Ａは、テクスチャ見本の一例である。なお、テクスチャ見本としては、２次元的なシート状に限定されず、３次元的な立体構造であっても良い。
【００５４】
複数のテクスチャ見本シート５Ａは、それぞれ色、模様及び質感の少なくとも一が異なる。色が異なるとは、色相、彩度、及び明度の少なくとも一つが異なっていればよく、また、模様との関係で色の相違の有無を複合的に評価することもできる。また、質感とは、材料がもつ視覚的な特徴や形態を意味し、所定の材料の質感を模して表現した形態も含まれる。テクスチャ見本シート５Ａの色、模様または質感は、触感見本シート３Ａの色、模様または質感等と異なっていても良いし、共通であっても良い。
【００５５】
テクスチャ見本帳４Ａは、重なり合う複数のテクスチャ見本シート５Ａを支持する連結部４１を備えている。連結部４１は、例えば、複数のテクスチャ見本シート５Ａを貫通する軸部であり、抜け止めのための処理が施されている。複数のテクスチャ見本シート５Ａは、連結部４１を中心にしてそれぞれ回転可能である。連結部４１により、重なり合う複数のテクスチャ見本シート５Ａを一体に纏めることができ、扱い易くなる。
【００５６】
本実施形態に係るテクスチャ見本シート５Ａは、矩形状であるが、テクスチャ見本シート５Ａの形状は矩形状に限定されず、その他の多角形状、または円形や楕円形等であっても良く、更に、不規則な形状であってもよい。
【００５７】
テクスチャ見本シート５Ａは、複数の見本片５１に分割される破断を誘導する破断誘導構造５７を備えている。破断誘導構造５７とは、せん断力を受けた際に、一定方向（切断予定線）に沿った切断を契機するように意図的に形成された構造である。破断誘導構造５７は、例えば、切断予定線に沿ったミシン目であったり、切断予定線に沿った直線部分の厚みが他の部分より薄く形成されたりした構造であってもよい。
【００５８】
次に、本実施形態に係る触感見本システム１Ａを用いて触感を確認する触感評価方法について説明する。触感見本システム１Ａは触感見本帳２Ａとテクスチャ見本帳４Ａとを備えている。評価者（ヒト）は、テクスチャ見本帳４Ａの複数のテクスチャ見本シート５Ａの中から、製品等を想定した対象物に準ずる一又は複数のテクスチャ見本シート５Ａを選択する。次に、評価者は、触感見本帳２Ａの複数の触感見本シート３Ａのそれぞれを、選択したテクスチャ見本シート５Ａに重ね、この状態での触感見本シート３Ａの触感を確認し、テクスチャ見本シート５Ａに適した触感を評価する。
【００５９】
補足として、評価者は、テクスチャ見本帳４Ａを使用することなく、触感見本帳２Ａの複数の触感見本シート３Ａのそれぞれを対象物（一例として図７の対象物１００参照）に重ね、この状態での触感見本シート３Ａの触感を確認し、対象物に適した触感を評価することもできる。
【００６０】
ここで、「対象物（テクスチャ見本シート）に適した触感を評価する」とは、例えば、触感見本シートを対象物に重ねた状態で感性評価を行って複数の触感見本シートの中から好適な触感見本シートを選択する場合や、複数の触感見本シートを用いながら、対象物に対して相性の良い触感の傾向を特定する場合等を広く含む。より、具体的には、評価者は、テクスチャ見本シート５Ａに対する触感見本シート３Ａの触感について、指や肌で触れて確認し、相性なども踏まえて、硬さ、柔らかさ、心地よさ等を総合的に判断し、テクスチャ見本シート５Ａに適した触感を評価することができる。また、評価者は、例えば、上述の感性評価の手法に従って、この評価を行うこともできる。
【００６１】
また、「対象物」とは、製品等を想定したサンプルや模型を広く含み、完成形としての製品の形状等をそのまま模した形状であっても、その形状の一部分であっても良い。また、「製品等」とは、売買の対象となる商品等に限定されず、社内でのみ使用される有体物や開発段階での試作品なども広く含む。
【００６２】
本実施形態に係る触感見本システム１Ａを用いた触感評価方法によれば、対象物（テクスチャ見本シート５Ａ含む）に応じた触感見本シート３Ａの触感を確認することができる。その結果、対象物に適した触感を評価できる。
【００６３】
特に、本実施形態は、触感見本シート３Ａを用いた触感評価方法であり、手触りなどで触感を比べながら製品等に適した触感の触感見本シート３Ａを評価できるので、例えば、視覚障碍者であっても製品等に適した触感を評価できる。従って、視覚障碍者にとっての快適な商品や環境の提供にも有利になる。
【００６４】
また、本実施形態に係る触感見本シート３Ａは光透過性を有する。従って、触感見本シート３Ａをテクスチャ見本シート５Ａに重ねると、テクスチャ見本シート５Ａの色や模様等が透けて見える。その結果、本実施形態に係る触感見本システム１Ａによれば、触感見本シート３Ａの触感のみならず、透けて見えるテクスチャ見本シート５Ａの色味も含めた複合的な評価、つまり、色味及び触感の複合評価を行うことができる。
【００６５】
また、触感見本シート３Ａは破断誘導構造３７を備えており、テクスチャ見本シート５Ａは破断誘導構造５７を備えている。触感見本シート３Ａは、破断誘導構造３７に沿って分割可能であり、この分割によって一又は複数の見本片３１Ａ（触感見本片）を切り離すことができる。また、テクスチャ見本シート５Ａは、破断誘導構造５７に沿って分割可能であり、この分割によって一又は複数の見本片５１（テクスチャ見本片）を切り離すことができる。その結果、触感見本片３１Ａを対象物やテクスチャ見本片５１に重ねながら触感を確認することができ、対象物やテクスチャ見本片５１に適した触感を評価できる（図５参照）。特に、触感見本片３１Ａは透光性を有しているので、対象物やテクスチャ見本片５１に重ねた状態で、対象物等の色味を確認しながら触感の評価を行うことができる。
【００６６】
次に、他の一実施形態に係る触感見本システム１Ｂについて、図６及び図７を参照して説明する。触感見本システム１Ｂは、複数の触感見本シート３Ｂを備えた触感見本帳（図示省略）を備えている。触感見本シート３Ｂは、上述の実施形態に係る触感見本シート３Ａと同様の構造を備えており、基材３２と基材３２上に印刷された印刷部３３とを備え、光透過性を有する。また、触感見本シート３Ｂは、上述同様、印刷部３３を設けることなく、各種の方法によって所望の触感を実現した構造であっても良い。
【００６７】
触感見本シート３Ｂの基材には、粘着層３８を介して剥離紙３９が接着されている。剥離紙３９は触感が調整された印刷部３３とは反対側に面に設けられている。剥離紙３９は粘着層３８を保護する機能を有し、基材３２に対して剥離可能である。触感見本シート３Ｂは破断誘導構造３７を備えており、触感見本シート３Ｂは、複数の見本片３１Ｂに分割可能である。
【００６８】
次に、本実施形態に係る触感見本システム１Ｂを用いて触感を確認する触感評価方法について説明する。触感見本システム１Ｂは、複数の触感見本シート３Ｂを備えている。触感見本シート３Ｂを使用する際、評価者は、複数の触感見本シート３Ｂそれぞれから適宜に見本片３１Ｂを切り離しながら剥離紙３９を剥がす。次に、評価者は、見本片３１Ｂのそれぞれを、対象物１００に重ねるように貼付し、対象物１００に重ねた状態での見本片３１Ｂの触感を確認し、対象物１００に適した触感を評価する。また、見本片３１Ｂは、光透過性を有しているので、見本片３１Ｂを対象物１００に重ねた状態で、対象物１００の印刷物等の色味が透けて見える。その結果、対象物１００に対する触感見本シート３Ｂの評価を、触感のみならず、色味も含めて複合的に評価できる。
【００６９】
次に、他の一実施形態に係る触感見本システム１Ｃについて、図８を参照して説明する。触感見本システム１Ｃは、触感見本帳２Ｃを備えており、触感見本帳２Ｃは、テクスチャ見本部５Ｃが設けられた台紙２ｃと、台紙２ｃに貼り付けられた複数の触感見本シート３Ｃとを備えている。複数の触感見本シート３Ｃは、上記の実施形態に係る触感見本シート３Ｃと同様の構造を備え、それぞれ異なる触感となるように調整されている。テクスチャ見本部（テクスチャ見本の一例）５Ｃは、製品等を想定して色、模様及び質感の少なくとも一を印刷等で表現した部分であり、台紙２ｃに直接設けてもよいし、台紙２ｃとは別のテクスチャ見本シートを貼り付けて形成しても良い。本実施形態では、台紙２ｃに一種類のテクスチャ見本部５Ｃを設けているが、色や模様が異なる複数種類のテクスチャ見本部５Ｃを設けても良い。
【００７０】
触感見本シート３Ｃは、テクスチャ見本部５Ｃに重なるように配置されている。また、触感見本シート３Ｃのテクスチャ見本部５Ｃに重なっていない一部分は、台紙２ｃに接着（固定）されている。その結果、触感見本シート３Ｃは、台紙２ｃに接着されている一部分を支点として、テクスチャ見本部５Ｃに重なる部分を捲って台紙２ｃから離間させることができる。
【００７１】
この触感見本システム１Ｃを用いて触感評価方法を実施する際、評価者は、複数の触感見本シート３Ｃのそれぞれを、テクスチャ見本部５Ｃに重ね、テクスチャ見本部５Ｃに重ねた状態での触感見本シート３Ｃの触感を確認し、テクスチャ見本部５Ｃに適した触感を評価する。更に、触感見本シート３Ｃは、光透過性を有しているので、触感見本シート３Ｃをテクスチャ見本部５Ｃに重ねた状態で、テクスチャ見本部５Ｃの印刷物等の色味が透けて見える。その結果、テクスチャ見本部５Ｃに対する触感見本シート３Ｃの評価を、触感のみならず、色味も含めて複合的に評価できる。
【００７２】
次に、他の実施形態に係る触感見本システム１Ｄ、１Ｅについて、図９を参照して説明する。触感見本システム１Ｄ（図９の（ａ）図参照）は、触感見本帳２Ｄを備えている。触感見本帳２Ｄは、複数の異なる触感の触感見本シート３Ｄと、触感見本シート３Ｄを収容する容器６とを備えている。触感見本シート３Ｄは上記の実施形態に係る触感見本シート３Ｄと同様の構造を備え、また、複数の触感見本シート３Ｄは、連結部等で一体化することなく、それぞれ独立している。
【００７３】
また、触感見本システム１Ｅ（図９の（ｂ）図参照）は、触感見本帳２Ｅを備えている。触感見本帳２Ｃは、複数の触感見本ブロック２２と、複数の触感見本ブロック２２を収容する容器６とを備えている。触感見本ブロック２２は、複数の触感見本シート３Ｅを積層して形成されており、複数の触感見本シート３Ｅは、互いに剥離可能に接着されている。一の触感見本ブロック２２を形成する複数の触感見本シート３Ｅの触感は同一である。また、異なる触感見本ブロック２２同士を比較した場合、一の触感見本ブロック２２を形成する触感見本シート３Ｅの触感は、他の触感見本ブロック２２を形成する触感見本シート３Ｅの触感に対して異なっている。なお、一の触感見本ブロック２２を形成する触感見本シート３Ｅの触感を、それぞれ異なるように形成してもよい。
【００７４】
この触感見本システム１Ｄ、１Ｅを用いて触感評価方法を実施する際、評価者は、複数の触感見本シート３Ｄ、３Ｅのそれぞれを、対象物に重ね、対象物に重ねた状態での触感見本シート３Ｄ、３Ｅの触感を確認し、対象物に適した触感を評価する。更に、触感見本シート３Ｄ、３Ｅは、光透過性を有しているので、触感見本シート３Ｄ、３Ｅを対象物に重ねた状態で、対象物の印刷物等の色味が透けて見える。その結果、対象物に対する触感見本シート３Ｄ、３Ｅの評価を、触感のみならず、色味も含めて複合的に評価できる。
【００７５】
次に、他の実施形態に係る触感見本システム１Ｆについて、図１０を参照して説明する。触感見本システム１Ｆは、触感見本帳２Ｆを備えている。触感見本帳２Ｆは、所定のテクスチャ見本部が設けられた台紙２ｆと、テクスチャ見本部に重なるように台紙２ｆ上に貼付された複数の触感見本シート３Ｆとを備えている。複数の触感見本シート３Ｆは、例えば、基材３２（図３参照）上に設けられたフィラーによって触感を調製されている。一枚の台紙２ｆには、異なる触感の複数の触感見本シート３Ｆが２次元的に区別されながら規則的に配置されている。具体的には、Ｘ軸方向（縦）に沿うように複数の触感見本シート３Ｆが並んで配置されており、また、Ｙ軸方向（横）に沿うように複数の触感見本シート３Ｆが並んで配置されている。そして、Ｘ軸とＹ軸との交差位置に相当する位置（図１０の（ａ）図では最左列で最下段）の触感見本シート３Ｆは基準となる触感見本シート３Ｆである。
【００７６】
縦横に並んだ複数の触感見本シート３Ｆのうち、Ｘ軸方向に並んだ複数の触感見本シート３Ｆは、基準となる触感見本シート３Ｆから離れる程、フィラーの量が多くなっている。また、Ｙ軸方向に並んだ複数の触感見本シート３Ｆは、基準となる触感見本シート３Ｆから離れる程、フィラーの径が大きくなっている。
【００７７】
また、触感見本システム１Ｆは、複数の触感見本帳２Ｆを３次元的に配置することも可能である。触感見本帳２Ｆは、テクスチャ見本部が形成された台紙２ｆと、台紙２ｆ上に規則的に配置された複数の触感見本シート３Ｆを備えている。一枚の台紙２ｆにおいて、複数の触感見本シート３Ｆの２次元的な配置の規則性は、図１０の（ａ）図に示された触感見本帳２Ｆに共通する。一方で、複数の触感見本帳２Ｆの台紙２ｆそれぞれのテクスチャ見本部は、色、模様及び質感の少なくとも一が異なる。そして、図１０の（ｂ）図に示されるように、テクスチャ見本部の相違をＺ軸と仮定し、複数の触感見本帳２Ｆを３次元的に扱うことも可能である。
【００７８】
次に、他の実施形態に係る触感見本システム１Ｇについて、図１１を参照して説明する。触感見本システム１Ｇは、触感見本帳２Ｇを備えている。触感見本帳２Ｇは、所定のテクスチャ見本部が設けられた台紙２ｇと、テクスチャ見本部に重なるように台紙２ｇ上に貼付された複数の触感見本シート３Ｇとを備えている。触感見本シート３Ｇは、例えば、基材３２（図３参照）上に設けられたフィラーによって触感を調製されており、複数の触感見本シート３Ｇは、異なる触感を有する。また、本実施形態に係る触感見本シート３Ｇは、複数の見本部３ａ、３ｂ、３ｃを備えており、見本部３ａ、３ｂ、３ｃは、それぞれ異なる触感を有する。
【００７９】
一枚の台紙２ｇ上には、複数の触感見本シート３Ｇが２次元的に区別されながら規則的に配置されている。具体的には、複数の触感見本シート３Ｇは、扇状に並んで配置されており、時計回り方向を基準とした場合の上流側に配置された触感見本シート３Ｇよりも、下流側に配置された触感見本シート３Ｇの方が、フィラーの量が多くなっている。また、上記の時計回り方向を回転方向と仮定し、それぞれの触感見本シート３Ｇを見た場合に、遠心方向内寄りの見本部３ｃのフィラーの径の大きさよりも、遠心方向外寄りの見本部３ａのフィラーの径の大きさの方が大きくなっている。
【００８０】
また、触感見本システム１Ｇは、複数の触感見本帳２Ｇを３次元的に配置することも可能である。触感見本帳２Ｇは、テクスチャ見本部が形成された台紙２ｇと、台紙２ｇ上に規則的に配置された複数の触感見本シート３Ｇを備えている。一枚の台紙２ｇにおいて、複数の触感見本シート３Ｇの２次元的な配置の規則性は、図１１の（ａ）図に示された触感見本帳２Ｇに共通する。一方で、複数の触感見本帳２Ｇの台紙２ｇそれぞれのテクスチャ見本部は、色、模様及び質感の少なくとも一が異なる。そして、図１１の（ｂ）図に示されるように、複数の触感見本帳２Ｇを３次元的に扱うことも可能である。
【００８１】
この触感見本システム１Ｆ、１Ｇを用いて触感評価方法を実施する際、評価者は、テクスチャ見本部に重ねられた状態での複数の触感見本シート３Ｆ、３Ｇの触感を確認し、テクスチャ見本部に適した触感を評価する。更に、触感見本シート３Ｃは、光透過性を有しているので、触感見本シート３Ｆ、３Ｇをテクスチャ見本部に重ねた状態で、テクスチャ見本部の印刷物等の色味が透けて見える。その結果、テクスチャ見本部に対する触感見本シート３Ｆ、３Ｇの評価を、触感のみならず、色味も含めて複合的に評価できる。
【００８２】
上記の各実施形態に係る触感見本システム１Ａ〜１Ｇでは、複数の触感見本シート３Ａ〜３Ｇを、それぞれ対象物１００等に重ねながら、触感見本シート３Ａ〜３Ｇの触感を確認することができる。その結果、対象物１００等に適した触感を評価できる。
【００８３】
また、触感見本シート３Ａ〜３Ｇが光透過性を有する形態によれば、対象物等に重ねた状態で、対象物等の色味を確認しながら触感の確認を行うことができる。その結果、触感見本シートを使用した簡便な方法で、色味と触感とを複合的に評価し、例えば、製品のイメージを確認することができる。
【００８４】
また、各実施形態に係る触感見本システム１Ａ〜１Ｇにおいて、適宜にテクスチャ見本シート５Ａ（テクスチャ見本帳）やテクスチャ見本部５Ｃを備えた形態にすることができる。そして、製品等を想定した対象物としてテクスチャ見本シート５Ａやテクスチャ見本部５Ｃを利用することにより、製品等に適した触感を評価し易くなる。
【００８５】
また、複数のテクスチャ見本シート５Ａや複数のテクスチャ見本部５Ｃを備え、且つ、複数のテクスチャ見本シート５Ａやテクスチャ見本部５Ｃが、それぞれ色、模様及び質感の少なくとも一が異なる形態にすることもできる。このような形態によれば、複数のテクスチャ見本シート５Ａやテクスチャ見本部５Ｃの中から、製品等を想定した好適なテクスチャ見本シート５Ａやテクスチャ見本部５Ｃを選択し易くなる。
【００８６】
本発明は、上記の実施形態に限定されない。例えば、各実施形態に係る触感見本シートにおいて触感の調整は、印刷部に塗布されたインク（コーティング剤含む）によって行われたり、基材の表面に塗布された粒状物のサイズや配置等によって行われたり、物理的な加工によって行われたり、ポリマブレンドによって行われたり、触感が調製されたフィルムを基材に貼り合わせることによって行われたりすることができる。また、各実施形態に記載の構造や要素を他の実施形態に適宜に組み合わせることも可能である。
【符号の説明】
【００８７】
１Ａ〜１Ｇ…触感見本システム、３Ａ〜３Ｇ…触感見本シート、５Ａ…テクスチャ見本シート（テクスチャ見本）、５Ｃ…テクスチャ見本部（テクスチャ見本）、３２…基材、３３…印刷部、２１…連結部、３１Ａ…見本片、３７…破断誘導構造、１００…対象物。
【図１】
2020056878.tif 000003
【図２】
2020056878.tif 000004
【図３】
2020056878.tif 000005
【図４】
2020056878.tif 000006
【図５】
2020056878.tif 000007
【図６】
2020056878.tif 000008
【図７】
2020056878.tif 000009
【図８】
2020056878.tif 000010
【図９】
2020056878.tif 000011
【図１０】
2020056878.tif 000012
【図１１】
2020056878.tif 000013